【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】  式１、式２または式３で示される化合物：
【化１】
2002526516.tif 000001
【化２】
2002526516.tif 000002
【化３】
2002526516.tif 000003
[式中、
ＸはＯ、Ｓ、または(ＣＲ１Ｒ１)ｎであり、ｎは０、１または２であり；
Ｙは式４：
【化４】
2002526516.tif 000004
（式中、ｏは１〜４の整数である。）
または式５：
【化５】
2002526516.tif 000005
で示される２価基であるか、あるいはＹは２価のアリール基、またはＮ、ＳおよびＯから選択するヘテロ原子１〜３個を有する５もしくは６員ヘテロアリール基であり、該アリールまたはヘテロアリール基は不置換であるか、またはＣ１−６アルキル基１〜３個もしくはＣ１−６フルオロアルキル基１〜３個で置換されており、ただし、化合物が式２で示される場合はＹは５または６員環ではなく；
Ｘ１はＳ、またはＮＨであり；
Ｒ１はそれぞれ、Ｈ、炭素数１〜６の低級アルキル、または炭素数１〜６の低級フルオロアルキルであり；
Ｒ２はそれぞれ、Ｈ、炭素数１〜６の低級アルキル、ＯＲ１、２−アダマンチル、または炭素数１〜６の低級フルオロアルキルであるか、あるいは２個のＲ２基が共同でオキソ（＝Ｏ）基を形成し、ただし、化合物が式２で示される場合は置換基Ｒ２の少なくとも１個は分枝鎖アルキルまたはアダマンチルであり；
Ｒ３は水素、炭素数１〜６の低級アルキル、ＯＲ１、炭素数１〜６のフルオロ置換低級アルキル、ハロゲン、ＮＯ２、ＮＨ２、ＮＨＣＯ(Ｃ１−６)アルキル、またはＮＨＣＯ(Ｃ１−６)アルケニルであり；
ＡはＣＯＯＨもしくは薬学的に許容し得るその塩、ＣＯＯＲ８、 ＣＯＮＲ９Ｒ１０、−ＣＨ２ＯＨ、ＣＨ２ＯＲ１１、ＣＨ２ＯＣＯＲ１１、ＣＨＯ、ＣＨ(ＯＲ１２)２、ＣＨ(ＯＲ１３Ｏ)、−ＣＯＲ７、ＣＲ７(ＯＲ１２)２、ＣＲ７(ＯＲ１３Ｏ)、またはＳｉ(Ｃ１−６アルキル)３であり、Ｒ７は炭素数１〜５のアルキル、シクロアルキルまたはアルケニル基であり、Ｒ８は炭素数１〜１０のアルキル、(トリメチルシリル)アルキル(アルキル基の炭素数１〜１０)、炭素数５〜１０のシクロアルキル、フェニルまたはＣ１−６低級アルキルフェニルであり、Ｒ９およびＲ１０はそれぞれ水素、炭素数１〜１０のアルキル、炭素数５〜１０のシクロアルキル、フェニル、ヒドロキシフェニルまたは低級アルキルフェニルであり、Ｒ１１は炭素数１〜６の低級アルキル、フェニルまたは低級アルキルフェニルであり、Ｒ１２は炭素数１〜６の低級アルキルであり、Ｒ１３は炭素数２〜５の２価アルキル基であり；
Ｒ１４は炭素数１〜１０のアルキル、炭素数１〜１０のフルオロ置換アルキル、炭素数２〜１０／二重結合数１〜３のアルケニル、炭素数２〜１０／三重結合数１〜３のアルキニル、フェニル、Ｃ１−１０アルキルフェニル、ナフチル、Ｃ１−１０アルキルナフチル、フェニル−Ｃ１−１０アルキル、ナフチル−Ｃ１−１０アルキル、Ｃ１−１０アルケニルフェニル（二重結合数１〜３）、Ｃ１−１０アルキニルフェニル（三重結合数１〜３）、フェニル−Ｃ１−１０アルケニル（二重結合数１〜３）、フェニル−Ｃ１−１０アルキニル（三重結合数１〜３）から成る群から選択する炭素環アリール、炭素数１〜１０のヒドロキシアルキル、炭素数２〜１０／二重結合数１〜３のヒドロキシアルケニル、炭素数２〜１０／三重結合数１〜３のヒドロキシアルキニル、炭素数１〜１０のアシルオキシアルキル、炭素数２〜１０／二重結合数１〜３のアシルオキシアルケニル、または炭素数２〜１０／三重結合数１〜３のアシルオキシアルキニル（ここで、アシル基はＣＯＲ８である。）であるか、あるいはＲ１４はＯ、ＳおよびＮから成る群から選択するヘテロ原子１〜３個を有する５または６員ヘテロアリール基であり、該ヘテロアリール基は不置換であるか、またはＣ１−１０アルキル基、Ｃ１−１０フルオロアルキル基またはハロゲンで置換されており；
式４中の点線は結合、または結合の不存在を表す。］。
【請求項２】  式１で示される請求項１に記載の化合物。
【請求項３】  式２で示される請求項１に記載の化合物。
【請求項４】  式３で示される請求項１に記載の化合物。
【請求項５】  基Ｙが式４で示される請求項１に記載の化合物。
【請求項６】  基Ｙが式５で示される請求項１に記載の化合物。
【請求項７】  ｏが１である請求項５に記載の化合物。
【請求項８】  式１で示される請求項７に記載の化合物。
【請求項９】  式２で示される請求項７に記載の化合物。
【請求項１０】  式３で示される請求項７に記載の化合物。
【請求項１１】  Ｒ１４が炭素数１〜６の低級アルキルである請求項２に記載の化合物。
【請求項１２】  Ｒ１４が炭素環アリールまたはヘテロアリールである請求項２に記載の化合物。
【請求項１３】  式：
【化６】
2002526516.tif 000006
［式中、
Ｒは式（ｉ）、式（ii）または式（iii）：
【化７】
2002526516.tif 000007
で示される１価基であり；
＊はシクロプロピル環に共有結合する芳香環炭素を示し；
ＸはＯ、Ｓ、またはＣＲ１Ｒ１であり；
Ｒ１、Ｒ２、Ｒ３およびＲ１４はそれぞれ、Ｈ、炭素数１〜６の低級アルキル、またはアダマンチルであり、ただし、Ｒが式（ii）で示される場合は置換基Ｒ２の少なくとも１個は分枝鎖アルキルまたはアダマンチルであり；
ＡはＣＯＯＨ、薬学的に許容し得るその塩、ＣＯＯＲ８、またはＣＯＮＲ９Ｒ１０であり、Ｒ８は炭素数１〜６の低級アルキルである。］
で示される化合物。
【請求項１４】  式（ｉ）で示される請求項１３に記載の化合物。
【請求項１５】  ＸがＯまたはＳである請求項１４に記載の化合物。
【請求項１６】  ＸがＣ(ＣＨ３)２である請求項１４に記載の化合物。
【請求項１７】  式（ii）で示される請求項１３に記載の化合物。
【請求項１８】  Ｒ２が分枝鎖アルキルである請求項１７に記載の化合物。
【請求項１９】  式（iii）で示される請求項１３に記載の化合物。
【請求項２０】  式：
【化８】
2002526516.tif 000008
［式中、
Ｒ＊はＨまたはＣＨ３であり；
Ｒ１＊はメチル、エチルまたはｎ−プロピルであり；
Ｒ８＊はＨ、または炭素数１〜６の低級アルキルである。］
で示される化合物または薬学的に許容し得るその塩。
【請求項２１】  Ｒ８＊がＨまたはエチルである請求項２０に記載の化合物または薬学的に許容し得るその塩。
【請求項２２】  式：
【化９】
2002526516.tif 000009
［式中、
Ｒ＊はＨまたはＣＨ３であり；
Ｒ１＊はメチル、エチルまたはｎ−プロピルであり；
Ｒ８＊はＨ、または炭素数１〜６の低級アルキルである。］
で示される化合物または薬学的に許容し得るその塩。
【請求項２３】  Ｒ８＊がＨまたはエチルである請求項２２に記載の化合物または薬学的に許容し得るその塩。
【請求項２４】  式：
【化１０】
2002526516.tif 000010
［式中、
Ｒ＊はＨまたはＣＨ３であり；
Ｒ１＊はメチル、エチルまたはｎ−プロピルであり；
Ｒ８＊はＨ、または炭素数１〜６の低級アルキルである。］
で示される化合物または薬学的に許容し得るその塩。
【請求項２５】  Ｒ８＊がＨまたはエチルである請求項２４に記載の化合物または薬学的に許容し得るその塩。
【請求項２６】  式：
【化１１】
2002526516.tif 000011
［式中、
Ｒ１＊はメチル、エチルまたはｎ−プロピルであり；
Ｒ８＊はＨ、または炭素数１〜６の低級アルキルである。］
で示される化合物または薬学的に許容し得るその塩。
【請求項２７】  Ｒ８＊がＨまたはエチルである請求項２６に記載の化合物または薬学的に許容し得るその塩。